(57)【要約】【課題】  屈曲蛍光ランプを複数本並設したバックライトユニットにあって、拡散板や拡散シートに輝度均一化の対策を施さなくとも各ランプの管屈曲部の保持構造にて当該館屈曲部での輝度分布の均一化が図れるようにする。【解決手段】  Ｕ字型あるいはコ字型の管屈曲部１Ａをもつ蛍光ランプ１を反射ケース１０４内に複数本並列に配置したバックライトユニットにおいて、蛍光ランプ各々の管屈曲部を反射ケースから延出している屈曲部保持部材１２２にて保持させ、蛍光ランプ各々の点灯時に当該管屈曲部からの光を遮光するようにした。【選択図】      図１
2006164839.tif 000002
【特許請求の範囲】
【請求項１】
Ｕ字型あるいはコ字型の管屈曲部をもつ蛍光ランプを反射ケース内に複数本並列に配置したバックライトユニットにおいて、前記蛍光ランプ各々の管屈曲部を前記反射ケースから延出している屈曲部保持部材にて保持させ、前記蛍光ランプ各々の点灯時に当該管屈曲部からの光を遮光するようにしたことを特徴とするバックライトユニット。
【請求項２】
複数本の蛍光ランプを反射ケース内に並列に配置したバックライトユニットにおいて、前記蛍光ランプ各々の中間部をホルダーにて前記反射ケースに対して保持させ、かつ当該ホルダー各々を他のホルダーと一直線上に並ばない配置にしたことを特徴とするバックライトユニット。
【請求項３】
Ｕ字型あるいはコ字型の管屈曲部をもつ蛍光ランプを反射ケース内に複数本並列に配置したバックライトユニットにおいて、
前記蛍光ランプ各々の管屈曲部を前記反射ケースから延出している屈曲部保持部材にて保持させ、前記蛍光ランプ各々の点灯時に当該管屈曲部からの光を遮光するようにし、
前記蛍光ランプ各々の中間部をホルダーにて前記反射ケースに対して保持させ、かつ当該ホルダー各々を他のホルダーと一直線上に並ばない配置にしたことを特徴とするバックライトユニット。
【発明の詳細な説明】
【技術分野】
【０００１】
本発明は、バックライトユニットに関する。
【背景技術】
【０００２】
近年大型液晶パネルの普及に伴い、複数の直管及び屈曲した蛍光ランプを並列に配置した直下式バックライトユニットの開発が多くなっている。図１０は従来のバックライトユニットの分解斜視図であり、このバックライトユニットはＵ字形に屈曲した複数本の蛍光ランプ１、給電用電極１１１、これを保持する側板１１２、インバータ電源（図示せず）から両側の給電用電極１１１に高周波、正弦波電圧を給電するハーネス１０３、蛍光ランプ１や両側の側板１１２を所定位置に固定する下フレーム１０４、複数本の蛍光ランプ１の光を所定方向（図１０において上方）に反射させる反射板１０５、複数本の蛍光ランプ１からの光を均一に拡散させる拡散板１０６及び拡散シート１０７，１０８、そして上フレーム１０９を図示のように配置し、一体に組立てるものである。
【０００３】
図１１は従来のバックライトユニットの平面図であり、図１２はランプ支持ホルダー部を拡大した図である。従来は、図１２に示したように、Ｕ字形又はコの字形の屈曲管の蛍光ランプ１を下フレーム１０４に固定するのに、ランプ支持ホルダー１２１にて各蛍光ランプ１を両側で保持する構造にし、かつ、各ランプ支持ホルダー１２１の配列は下フレーム１０４を一直線に横切る配列にしていた。また、屈曲蛍光ランプ１各々の管屈曲部１Ａは保持せず、各々のストレート部分をランプ支持ホルダー１２１にて下フレーム１０４に支持するだけにしていた。
【０００４】
図１３は従来の屈曲蛍光ランプ１を用いたバックライトユニットの管屈曲部１Ａの保持構造の拡大図である。図１３に示すように、屈曲蛍光ランプ１の管屈曲部１Ａを保持する部材はなく、上述のランプ支持ホルダー１２１による屈曲蛍光ランプ１のストレート部分での保持のみであった。そしてユニット全体で、屈曲部１Ａの輝度分布を均一にするために、管屈曲部１Ａより放射される光の影響を強く受ける拡散板１０６の板厚調整や拡散シート１０７，１０８への遮光パターン印刷等を行い、バックライトユニットの発光面全体での輝度分布を均一にしていた。
【０００５】
しかしながら、従来のバックライトユニットでは、屈曲蛍光ランプ１の管屈曲部１Ａでの輝度分布均一化のために拡散板等に印刷していたため、管屈曲部１Ａの位置と印刷位置のズレのバラツキにより、輝度分布にバラツキが生じる問題点があった。
【０００６】
また、従来、図１１、図１２に示したように、屈曲蛍光ランプ１ごとのランプ支持ホルダー１２１を連続して一直線上に位置する配置にしていたため、図１４の輝度分布のグラフに示すように、ランプ支持ホルダー１２１に相当する局所的な部分で輝度が低下し、その他の場所と輝度差Ａが生じてしまい、その影が有効発光エリア内でライン状に見えてしまう。このため、従来は、拡散シート１０７，１０８を用いて影を隠したり、拡散板１０６の透過率を下げたり、内部空間を広げて画面上見えにくくさせる対策をとっていた。しかしその対策によって、従来は輝度低下等の別の問題点があった。
【特許文献１】特開平７−２８８０２３号公報
【発明の開示】
【発明が解決しようとする課題】
【０００７】
本発明は、上述のような従来技術の問題点に鑑みてなされたものであり、屈曲蛍光ランプを複数本並設したバックライトユニットにあって、拡散板や拡散シートに輝度均一化の対策を施さなくとも各ランプの管屈曲部の保持構造にて当該管屈曲部での輝度分布の均一化が図れるバックライトユニットを提供することを目的とする。
【０００８】
本発明はまた、蛍光ランプを複数本並列に配置したバックライトユニットにおいて、蛍光ランプを支持するホルダーの位置を一直線上に連続して並ばないように配置することで輝度の部分差を少なくし、拡散板や拡散シートに輝度均一化の対策を施さなくとも、輝度の低下を抑えながらも輝度の均一化が図れるバックライトユニットを提供することを目的とする。
【課題を解決するための手段】
【０００９】
請求項１の発明は、Ｕ字型あるいはコ字型の管屈曲部をもつ蛍光ランプを反射ケース内に複数本並列に配置したバックライトユニットにおいて、前記蛍光ランプ各々の管屈曲部を前記反射ケースから延出している屈曲部保持部材にて保持させ、前記蛍光ランプ各々の点灯時に当該管屈曲部からの光を遮光するようにしたものである。
【００１０】
請求項２の発明は、複数本の蛍光ランプを反射ケース内に並列に配置したバックライトユニットにおいて、前記蛍光ランプ各々の中間部をホルダーにて前記反射ケースに対して保持させ、かつ当該ホルダー各々を他のホルダーと一直線上に並ばない配置にしたものである。
【００１１】
請求項３の発明は、Ｕ字型あるいはコ字型の管屈曲部をもつ蛍光ランプを反射ケース内に複数本並列に配置したバックライトユニットにおいて、前記蛍光ランプ各々の管屈曲部を前記反射ケースから延出している屈曲部保持部材にて保持させ、前記蛍光ランプ各々の点灯時に当該管屈曲部からの光を遮光するようにし、前記蛍光ランプ各々の中間部をホルダーにて前記反射ケースに対して保持させ、かつ当該ホルダー各々を他のホルダーと一直線上に並ばない配置にしたものである。
【発明の効果】
【００１２】
本発明によれば、明るく、かつ発光面全体で均一な輝度のバックライトユニットが提供できる。
【発明を実施するための最良の形態】
【００１３】
以下、本発明の実施の形態を図に基づいて詳説する。
【００１４】
（第１の実施の形態）図１は、本発明の第１の実施の形態のバックライトユニットの上面図であり、図２は管屈曲部の保持構造を示す断面図、図３はランプ支持ホルダー部分の拡大図である。本実施の形態のバックライトユニットは、図１０に示した従来例と同様の構成であり、Ｕ字形屈曲蛍光ランプあるいはコの字形屈曲蛍光ランプのような屈曲蛍光ランプ１を複数本、並列に下フレーム１０４上に配置し、それらの電極部に筐体側の給電用電極１１１を接続し、インバータ電源（図示せず）からハーネス１０３を通じて各蛍光ランプ１に高圧高周波数電圧を給電して点灯させる。この下フレーム１０４上には反射板１０５を配設し、これによって蛍光ランプ１の光を表側に放射させるようにしている。下フレーム１０４の側部には側板１１２が設けてあり、この下フレーム１０４と側板１１２とで箱形のランプケースを構成している。さらに、図１では見られないが、従来と同様に、複数本の蛍光ランプ１からの光を均一に拡散させる拡散板１０６及び拡散シート１０７，１０８、そして上フレーム１０９が蛍光ランプ１の上側に配置され、一体に組立てられている。
【００１５】
複数本の屈曲蛍光ランプ１各々の管屈曲部１Ａ側の側板１１２には、屈曲部保持部材１２２を設け、図２に詳しいように、この屈曲部保持部材１２２によって各蛍光ランプ１の管屈曲部１Ａを上側から保持すると共に管屈曲部１Ａからの光を遮光するようにしている。これにより、本実施の形態によれば、従来のように拡散板に印刷を施したり、拡散シートの厚みを変えたりすることなく、管屈曲部１Ａを不透明な屈曲部保持部材１２２にて保持させるだけで管屈曲部の輝度分布を面全体で均一化することができる。
【００１６】
なお、屈曲部保持部材１２２は、図示の実施の形態では両サイド側のものも中央側のものも等しい幅にしているが、輝度分布をより均一化する必要があれば、両サイドのものでは中央側のものより幅を狭くすることで発光面全体での輝度分布の均一化をいっそう図ることができる。
【００１７】
図３に詳しいように、本実施の形態のバックライトユニットにおいて、複数個のランプ支持ホルダー１２１各々は一直線上に並ばないように互いにずらした位置に配置してあり、従来例と同様に各屈曲蛍光ランプ１のストレート部分を下フレーム１０４に対して下側から保持している。これにより、図４に示すように、本実施の形態によればランプ保持ホルダー支持部分での輝度低下Ｂが、従来のもの（図１４における輝度差Ａ）よりも小さく（Ｂ＜Ａ）抑えることができ、面全体での輝度分布を均一化できる。
【００１８】
（第２の実施の形態）図５は本発明の第２の実施の形態のバックライトユニットの断面図であり、図６はそのバックライトユニットの輝度勾配を示す図であり、図７は図６のバックライトユニットの端部を拡大した図である。本実施の形態のバックライトユニットは、扁平形状の蛍光ランプ１を複数本並列に配置し、扁平形状の蛍光ランプ１と反射板１０５の傾斜部との接触を防ぎ、反射板構造の簡素化のために当該傾斜部を無くして、反射板側部１０５Ａを垂直に屈曲させた形状にしている。また、輝度勾配のフラット化のためにバックライトユニットの端部付近の蛍光ランプ１′を拡散板１０６、拡散シート１０７等が配設されている画面側に接近するようにＢの高低差を設けた配置にしている。なお、直下型バックライトユニットは使用するランプの本数によって輝度勾配が変化するため、端部位置の蛍光ランプ１′の設置高低差Ｂは輝度勾配に応じて変化させる必要があり、製品の仕様に応じて適切なものに決定する。本実施の形態によれば、反射板１０５の側端部に傾斜部を形成する必要がなくて構造の簡略化が図れ、しかも輝度勾配に応じてランプ設置高低差Ｂを適切に設定することによりバックライトユニットの輝度差を小さくすることができる。
【００１９】
（第３の実施の形態）図８は本発明の第３の実施の形態のバックライトユニットにおけるランプ保持部分の構造を示す図である。本実施の形態のバックライトユニットでは、コの字形あるいはＵ字形に屈曲し、かつランプ管が扁平形状をした屈曲ランプ１を複数本、図１０に示すように配列させ、同時点灯させるものである。そして、本実施の形態では、各屈曲蛍光ランプ１のストレート部分を、図８に示すように、ランプ保持ホルダー１２５にて保持し、所定位置に固定させている。このランプ保持ホルダー１２５は白色あるいは透光性で、弾力性のある合成樹脂製であり、屈曲蛍光ランプ１のストレート部分を開口部分から押し込む形で装填することにより保持させている。本実施の形態によれば、屈曲蛍光ランプ１のストレート部分の扁平管部分を両側から支えることで光を減衰させることなく確実に支えることができる。
【００２０】
なお、本実施の形態の場合、屈曲蛍光ランプ１に限らず、扁平形状の直管ランプを複数本並列させるバックライトユニットに対して適用することができる。そして扁平、直管ランプを用いるバックライトユニットの場合、図９に示すように弾力性のあるランプ保持ホルダー１２５に斜めの切込み１２５Ａを設け、この切込み１２５Ａに対して蛍光ランプ１を装填して傾斜状態で保持させる構成にすることも可能である。
【図面の簡単な説明】
【００２１】
【図１】本発明の第１の実施の形態のバックライトユニットの上面図。
【図２】本発明の第１の実施の形態のバックライトユニットにおける屈曲蛍光ランプの管屈曲部保持構造の断面図。
【図３】図１におけるランプ支持ホルダー部分の拡大図。
【図４】本発明の第１の実施の形態のバックライトユニットの輝度分布を示す図。
【図５】本発明の第２の実施の形態のバックライトユニットの断面図。
【図６】本発明の第２の実施の形態のバックライトユニットの輝度分布を示す図。
【図７】本発明の第２の実施の形態のバックライトユニットの側端部の拡大図。
【図８】本発明の第３の実施の形態のランプ保持部分の構造を示す断面図。
【図９】本発明の第３の実施の形態のランプ保持部分の他の構造を示す断面図。
【図１０】従来のバックライトユニットの分解斜視図。
【図１１】従来のバックライトユニットの一部切欠した平面図。
【図１２】従来のバックライトユニットのランプ支持部分の拡大図。
【図１３】従来の屈曲蛍光ランプを用いたバックライトユニットの管屈曲部保持部分の断面図。
【図１４】従来のバックライトユニットの輝度分布を示す図。
【符号の説明】
【００２２】
１  屈曲蛍光ランプ
１Ａ  管屈曲部
１０４  下フレーム
１０５  反射板
１０９  上フレーム
１１２  側板
１２１  ランプ支持ホルダー
１２２  屈曲部保持部材
【図１】
2006164839.tif 000003
【図２】
2006164839.tif 000004
【図３】
2006164839.tif 000005
【図４】
2006164839.tif 000006
【図５】
2006164839.tif 000007
【図６】
2006164839.tif 000008
【図７】
2006164839.tif 000009
【図８】
2006164839.tif 000010
【図９】
2006164839.tif 000011
【図１０】
2006164839.tif 000012
【図１１】
2006164839.tif 000013
【図１２】
2006164839.tif 000014
【図１３】
2006164839.tif 000015
【図１４】
2006164839.tif 000016